(57)【要約】【課題】ダイバーシティ受信方式により良好な番組信号の受信を行うと共に、複数のチャンネルに関する番組情報の一覧表示を高速に行うことができる受信装置を提供する。【解決手段】２つのチューナ２ａ、２ｂから受信状態が良好なものを判定し、選択部４にて受信状態が良好なチューナが受信した信号を選択して分離部５へ与える。分離部５へ与えられた信号に含まれる番組は、ディスプレイ２２及びスピーカ２１から出力される。受信状態が良好でないチューナが受信した信号は抽出部６へ与えられ、信号から番組情報が抽出されて記憶部９に記憶される。番組表の表示を行う場合は、記憶部９から番組情報を読み出して番組表を作成し、ディスプレイ２２に表示する。【選択図】図１
2007142887.tif 000002
【特許請求の範囲】
【請求項１】
放送される番組の番組情報を含む番組信号をそれぞれ受信する２つの受信手段と、該受信手段が受信する番組信号のチャンネルの設定を受け付けるチャンネル設定受付手段と、２つの前記受信手段から一の受信手段を選択する選択手段と、該選択手段が選択した一の受信手段から、前記チャンネル設定受付手段が受け付けたチャンネルに係る番組信号を取得して出力に係る処理を行う出力処理手段とを備える受信装置において、
前記一の受信手段が受信するチャンネル以外のチャンネルに係る番組信号を受信するように、他の受信手段が受信する番組信号のチャンネルの設定を変更するチャンネル設定変更手段と、
前記他の受信手段が受信した番組信号から、放送される番組に係る番組情報を抽出する番組情報抽出手段と、
該番組情報抽出手段が抽出した番組情報を記憶する記憶手段と
を備えることを特徴とする受信装置。
【請求項２】
前記受信手段の受信状態をそれぞれ判定する判定手段を備え、
前記選択手段は、前記判定手段の判定結果に応じて、受信状態が良好な一の受信手段を選択するようにしてある請求項１に記載の受信装置。
【請求項３】
前記判定手段は、前記受信手段が受信する番組信号の信号強度を基に判定を行うようにしてある請求項２に記載の受信装置。
【請求項４】
前記受信手段が受信する番組信号は誤り検出可能なデジタル信号であり、
前記判定手段は、前記受信手段が受信した番組信号の誤り発生数を基に判定を行うようにしてある請求項２又は請求項３に記載の受信装置。
【請求項５】
前記チャンネル設定変更手段は、前記一の受信手段が受信するチャンネル以外の複数のチャンネルを順次受信するように、前記他の受信手段の設定を順次変更するようにしてあり、
前記番組情報抽出手段は、前記他の受信手段が順次受信した番組信号から、番組情報を順次抽出するようにしてある請求項１乃至請求項４のいずれか１つに記載の受信装置。
【請求項６】
前記記憶手段が記憶した番組情報を読み出し、番組表を作成する作成手段を備え、
該作成手段が作成した番組表を出力するようにしてある請求項１乃至請求項５のいずれか１つに記載の受信装置。
【発明の詳細な説明】
【技術分野】
【０００１】
本発明は、放送される番組信号を受信する受信手段を複数備える受信装置に関し、更に詳しくは、複数の受信手段を用いて番組情報を自動的に取得する受信装置に関する。
【背景技術】
【０００２】
従来から、テレビ放送又はラジオ放送等の番組を受信するための２つのアンテナ及び２つのチューナを備え、このアンテナ及びチューナを用いて同じチャンネルの番組を受信し、番組の受信状態が良好なものを選択して出力する受信装置が普及している。これは所謂ダイバーシティ受信方式の受信装置であり、例えば自動車にこの受信装置を搭載することにより、自動車が走行中であっても安定した受信を行うことができ、安定した映像又は音声で番組を視聴することができるという利点がある。
【０００３】
また、２つ以上のチューナを備えるハードディスクレコーダ及びＤＶＤレコーダ等の装置が実用化されている。この装置においては、同じ時間帯に放送されるテレビ番組をチューナの数に応じて同時に録画することができるか、又は同じ時間帯に放送される番組の１つを視聴し、他の番組を録画することができるという利点がある。
【０００４】
特許文献１においては、２つのアンテナ及び２つのチューナを備えるダイバーシティ方式の受信装置を用い、両方のアンテナ及びチューナの受信状態が安定している場合に、一方では視聴する番組の受信を行い、他方では隣接地域のチャンネル配置情報を取得することにより、受信装置を搭載した自動車が放送地域をまたがって移動した場合であっても、地域毎の放送を継続的に選局することができる地上デジタル自動選局方法が提案されている。
【０００５】
一方、テレビ放送では番組と共に番組の放送時刻及び放送内容等の情報を有する電子番組ガイド情報（以下、ＥＰＧ（Ｅｌｅｃｔｒｏｎｉｃ  Ｐｒｏｇｒａｍ  Ｇｕｉｄｅ）という）が送信されており、これを受信したハードディスクレコーダ又はＤＶＤレコーダ等の装置では、ＥＰＧから番組表を作成して表示することができる。ユーザは、表示された番組表から所望の番組を選択することで、番組の録画、録画予約又は視聴等を行うことができるため、操作が簡略化できるという利点がある。
【特許文献１】特開２００４−３２０４０６号公報
【発明の開示】
【発明が解決しようとする課題】
【０００６】
自動車に搭載されたテレビ装置において、例えば、運転者が一のチャンネルの番組を視聴している場合に、他のチャンネルの番組の検索を行うときには、チャンネルの切り替え操作を行って他のチャンネルの番組を表示しなければならず、自動車が走行中である場合には、走行に支障をきたす虞がある。このため、特に、自動車に搭載されるテレビ装置には、ＥＰＧを取得して番組表の表示を行う機能が備えられ、運転者が番組表から簡単に番組の選択できるようにしてあることが望ましい。
【０００７】
しかし、地上波デジタル放送においては、放送される番組に関するＥＰＧは各チャンネル毎に別々に送信されており、複数のチャンネルの番組について表示を行うためには、手動又は自動にてチューナの受信チャンネルを順次切り替えて各チャンネルについてのＥＰＧを取得し、複数のチャンネル分のＥＰＧを取得した後に表示を行う必要がある。よって、複数のチャンネルの番組についての番組表を表示するとき、運転者が手動で各チャンネルを切り替えなければならないか、又は自動で切り替えを行う場合であっても処理に時間を要するという問題がある。また、特許文献１に記載の地上デジタル自動選局方法は、受信装置が備えるアンテナ及びチューナにて受信可能なチャンネルに関する情報、例えば受信可能な放送局のリストを予め取得し、自動車の移動に応じて選局を行う方法であり、ＥＰＧの取得を簡単に又は高速に行うことができるものではない。
【０００８】
本発明は、斯かる事情に鑑みてなされたものであって、その目的とするところは、２つの受信手段を備え、一の受信手段にて番組を受信して出力し、他の受信手段にて番組情報を取得する構成とすることにより、ＥＰＧを予め取得して記憶でき、ＥＰＧの表示に要する処理時間を短縮することができる受信装置を提供することにある。
【０００９】
また本発明の他の目的とするところは、複数の受信手段の受信状態をそれぞれ判定し、受信状態が良好な一の受信手段にて番組を受信する構成とすることにより、視聴する番組の受信を安定して行うことができる受信装置を提供することにある。
【００１０】
また本発明の他の目的とするところは、受信手段の受信状態が良好であるか否かを、受信した信号の強度を基に判定する構成とすることにより、受信手段の受信状態を簡単に判定することができ、複数の受信手段から一の受信手段を簡単に選択することができる受信装置を提供することにある。
【００１１】
また本発明の他の目的とするところは、受信手段がデジタル放送を受信する場合に、受信した信号の誤り発生数を基に受信手段の受信状態が良好であるか否かを判定する構成とすることにより、デジタル放送を受信する複数の受信手段から一の受信手段を簡単に選択することができる受信装置を提供することにある。
【００１２】
また本発明の他の目的とするところは、視聴する番組の受信を行うように選択された一の受信手段以外の他の受信手段にて、他のチャンネルのＥＰＧを順次取得して記憶しておく構成とすることにより、複数のチャンネルのＥＰＧを一覧表示するための処理時間を短縮することができる受信装置を提供することにある。
【００１３】
また本発明の他の目的とするところは、予め取得して記憶したＥＰＧから番組表を作成し、作成した番組表を出力する構成とすることにより、ユーザはディスプレイに表示された番組表から所望の番組を選択して視聴又は録画等を行うことができる受信装置を提供することにある。
【課題を解決するための手段】
【００１４】
本発明に係る受信装置は、放送される番組の番組情報を含む番組信号をそれぞれ受信する２つの受信手段と、該受信手段が受信する番組信号のチャンネルの設定を受け付けるチャンネル設定受付手段と、２つの前記受信手段から一の受信手段を選択する選択手段と、該選択手段が選択した一の受信手段から、前記チャンネル設定受付手段が受け付けたチャンネルに係る番組信号を取得して出力に係る処理を行う出力処理手段とを備える受信装置において、前記一の受信手段が受信するチャンネル以外のチャンネルに係る番組信号を受信するように、他の受信手段が受信する番組信号のチャンネルの設定を変更するチャンネル設定変更手段と、前記他の受信手段が受信した番組信号から、放送される番組に係る番組情報を抽出する番組情報抽出手段と、該番組情報抽出手段が抽出した番組情報を記憶する記憶手段とを備えることを特徴とする。
【００１５】
本発明においては、２つの受信手段から一の受信手段を選択して番組を受信し、他の受信手段にてＥＰＧを取得し、記憶しておく。予めＥＰＧが記憶されているため、一の受信手段にて受信しているチャンネル以外のチャンネルについてのＥＰＧを表示させる場合に、記憶しておいたＥＰＧを読み出すのみで表示を行うことができ、表示に必要な処理時間が短縮される。
【００１６】
また、本発明に係る受信装置は、前記受信手段の受信状態をそれぞれ判定する判定手段を備え、前記選択手段は、前記判定手段の判定結果に応じて、受信状態が良好な一の受信手段を選択するようにしてあることを特徴とする。
【００１７】
本発明においては、複数の受信手段から受信状態が良好な一の受信手段を選択して番組を受信することで、ＥＰＧの取得より番組の出力を優先して行い、番組の視聴を良好に行えるようにする。
【００１８】
また、本発明に係る受信装置は、前記判定手段が、前記受信手段が受信する番組信号の信号強度を基に判定を行うようにしてあることを特徴とする。
【００１９】
本発明においては、受信手段が受信する信号の強度を基に、例えば予め判定のための閾値を用意しておき、信号強度と閾値とを比較することで受信手段の受信状態の判定を行う。受信装置が比較器を備えるのみで、簡単に受信状態の判定を実現できる。
【００２０】
また、本発明に係る受信装置は、前記受信手段が受信する番組信号は誤り検出可能なデジタル信号であり、前記判定手段は、前記受信手段が受信した番組信号の誤り発生数を基に判定を行うようにしてあることを特徴とする。
【００２１】
本発明においては、受信手段が誤り検出可能なデジタル信号を受信する場合、受信した信号は誤り検出されて誤り訂正された後に出力される。よって、受信した信号の誤り発生数を基に、例えば一定のデータ量又は一定の時間毎に誤りが発生した数をカウントし、発生数が予め定められた一定数より多いか否かを比較することで受信手段の受信状態の判定を行うことができる。誤りの検出は必ず行われるため、特別なハードウェアを追加する必要がない。
【００２２】
また、本発明に係る受信装置は、前記チャンネル設定変更手段が、前記一の受信手段が受信するチャンネル以外の複数のチャンネルを順次受信するように、前記他の受信手段の設定を順次変更するようにしてあり、前記番組情報抽出手段は、前記他の受信手段が順次受信した番組信号から、番組情報を順次抽出するようにしてあることを特徴とする。
【００２３】
本発明においては、他の受信手段のチャンネル設定を順次変更し、各チャンネル毎にＥＰＧを取得し、複数のチャンネルのＥＰＧを予め記憶しておく。複数のチャンネルについてのＥＰＧを番組表として一覧表示させる場合に、記憶しておいたＥＰＧを読み出すのみで一覧表示を行うことができ、表示に必要な処理時間が短縮される。
【００２４】
また、本発明に係る受信装置は、前記記憶手段が記憶した番組情報を読み出し、番組表を作成する作成手段を備え、該作成手段が作成した番組表を出力するようにしてあることを特徴とする。
【００２５】
本発明においては、予め取得して記憶したＥＰＧから番組表を作成して出力し、出力された番組表からユーザが所望の番組を選択して視聴又は録画等を行えるようにする。ユーザは、各チャンネルで放送される番組の内容を簡単に把握して選択できる。
【発明の効果】
【００２６】
本発明による場合は、２つの受信手段を備え、一の受信手段にて番組を受信して出力し、他の受信手段にて番組情報を取得して記憶しておく構成とすることにより、一の受信手段にて受信しているチャンネル以外のチャンネルについてのＥＰＧを表示させる場合に、記憶しておいたＥＰＧを読み出すのみで表示を行うことができ、表示に必要な処理時間が短縮されて高速な表示を行うことができるため、ユーザに対するレスポンスを高速化でき、受信装置の利便性を向上することができる。
【００２７】
また、本発明による場合は、複数の受信手段の受信状態をそれぞれ判定し、受信状態が良好な一の受信手段にて番組を受信する構成とすることにより、番組を安定して受信することができるため、ユーザは安定した映像及び音声を視聴することができる。
【００２８】
また、本発明による場合は、受信手段の受信状態が良好であるか否かを、受信した信号の強度を基に判定する構成とすることにより、強度の比較を行うのみで簡単に受信状態の判定を行うことができるため、受信状態の判定機構を設けることによる受信装置のコスト増加を抑えることができる。
【００２９】
また、本発明による場合は、受信手段がデジタル放送を受信する場合に、受信した信号の誤り発生数を基に受信手段の受信状態が良好であるか否かを判定する構成とすることにより、必ず行われる誤り検出処理時に発生数をカウントするのみで簡単に受信状態の判定を行うことができるため、特別なハードウェアを追加する必要がなく、受信状態の判定機構を設けることによる受信装置のコスト増加を抑えることができる。
【００３０】
また、本発明による場合は、視聴する番組の受信を行うように選択された一の受信手段以外の他の受信手段にて、他のチャンネルのＥＰＧを順次取得して記憶しておく構成とすることにより、複数のチャンネルについてのＥＰＧを番組表として一覧表示させる場合に、記憶しておいたＥＰＧを読み出すのみで表示を行うことができるため、表示に必要な処理時間が短縮され、ユーザに対するレスポンスを高速化でき、受信装置の利便性を向上することができる。
【００３１】
また、本発明による場合は、予め取得して記憶したＥＰＧから番組表を作成し、作成した番組表を出力する構成とすることにより、ユーザは各チャンネルで放送される番組の内容をディスプレイに表示された番組表から簡単に把握することができ、番組表から所望の番組を選択して視聴又は録画等を行うことができるため、受信装置の操作性を向上でき、受信装置の利便性を向上することができる。
【発明を実施するための最良の形態】
【００３２】
（実施の形態１）
以下、本発明をその実施の形態を示す図面に基づき具体的に説明する。本実施の形態においては、受信装置として自動車に搭載され、地上波デジタル放送の番組を受信して表示するテレビ装置を例に説明を行う。図１は、本発明の実施の形態１に係る車載テレビの構成を示すブロック図である。図において１は車載テレビの制御部であり、車載テレビに備えられた２つのチューナ２ａ及び２ｂの選局制御、２つのチューナ２ａ及び２ｂが受信した信号のいずれか一方を選択して表示する制御、及び受信したテレビ番組とメニュー又は番組表とを切り替えてディスプレイ２２に出力する制御等の制御を行うものである。
【００３３】
車載テレビには２つのアンテナ２３ａ及び２３ｂ、並びに２つのチューナ２ａ及び２ｂが備えられており、所謂ダイバーシティ方式の受信を行うことができるようにしてある。ダイバーシティ方式とは、複数のアンテナを用いて電波を受信し、受信状態が最も良好なアンテナが受信する信号を出力することにより、安定した受信を実現する受信方式である。なお、２つのアンテナ２ａ及び２ｂは、自動車の車体の異なる位置又は異なる方向に設置される。
【００３４】
アンテナ２３ａはチューナ２ａに接続されており、チューナ２ａは制御部１により選局されたチャンネルの信号を復調して得られるデジタル信号を誤り訂正部３ａへ与えるようにしてある。誤り訂正部３ａは、与えられた信号から誤りの有無を検出し、誤りがある場合には誤りを訂正して選択部４へ与えるようにしてある。また、誤り訂正部３ａは誤りの有無の検出結果を制御部１へ知らせ、制御部１は一定期間中の誤りの発生数からアンテナ２３ａ及びチューナ２ａによる受信状態の良悪を判定するようにしてある。
【００３５】
同様に、アンテナ２３ｂはチューナ２ｂに接続されており、チューナ２ｂは制御部１により選局されたチャンネルの信号を復調して得られるデジタル信号を誤り訂正部３ｂへ与えるようにしてある。誤り訂正部３ｂは、与えられた信号から誤りの有無を検出し、誤りがある場合には誤りを訂正して選択部４へ与えるようにしてある。また、誤り訂正部３ｂは誤りの有無の検出結果を制御部１へ知らせ、制御部１は一定期間中の誤りの発生数からアンテナ２３ｂ及びチューナ２ｂによる受信状態の良悪を判定するようにしてある。これにより、制御部１は、アンテナ２３ａ及びチューナ２ａによる受信状態と、アンテナ２３ｂ及びチューナ２ｂによる受信状態とを比較して、受信状態が良好なものを選択することができる。
【００３６】
選択部４は、制御部１から与えられる選択命令に応じて、アンテナ２３ａ及びチューナ２ａにより受信された信号と、アンテナ２３ｂ及びチューナ２ｂにより受信された信号とのいずれか一方を選択して分離部５へ与え、他方を抽出部６へ与えるようにしてある。本実施の形態に係る車載テレビは地上波デジタル放送を受信するものであり、地上波デジタル放送において、番組はＭＰＥＧ−２のＴＳ（Ｔｒａｎｓｐｏｒｔ  Ｓｔｒｅａｍ）形式で送信されている。ＴＳ形式では映像、音声及びＥＰＧ等のデータが固定長のＴＳパケットに分割されて順次送信される。分離部５は、与えられた信号からＴＳパケットを取得し、ＴＳパケットのヘッダを調べることにより映像、音声又はＥＰＧのデータにそれぞれ分離し、映像データを映像デコーダ８へ与え、音声データを音声デコーダ７へ与え、ＥＰＧのデータを記憶部９へ与えるようにしてある。
【００３７】
分離部５にて分離された音声データはＡＣ−３形式で圧縮されたデータであり、圧縮された音声データは音声デコーダ７にて伸張されてＤ／Ａ変換部１０へ与えられる。Ｄ／Ａ変換部１０は、与えられたデジタルの音声データをアナログの音声信号に変換し、音声出力部１２へ与えるようにしてある。音声出力部１２が与えられた音声信号を増幅してスピーカ２１へ出力することにより、スピーカ２１から音声が出力されるようにしてある。
【００３８】
また、分離部５にて分離された映像データはＭＰＥＧ形式で圧縮されたデータであり、圧縮された映像データは映像デコーダ８にて伸張されてＤ／Ａ変換部１１へ与えられる。Ｄ／Ａ変換部１１は、与えられたデジタルの映像データをアナログの映像信号に変換し、映像出力部１３へ与えるようにしてある。映像出力部１３は、与えられた映像信号をディスプレイ表示用の信号に変換してディスプレイ２２へ出力することにより、ディスプレイ２２に映像を表示すると共に、制御部１からメニュー又は番組表の表示命令が与えられた場合にはこれをディスプレイ２２に表示するようにしてある。
【００３９】
抽出部６は、選択部４より与えられたからＴＳパケットを取得し、ＴＳパケットのヘッダを調べることによりＥＰＧのデータのみを抽出して記憶部９へ与えるようにしてある。記憶部９は、ＳＲＡＭ、ＤＲＡＭ又はフラッシュメモリ等の記憶素子により構成されるものであり、分離部５及び抽出部６から与えられるＥＰＧのデータを記憶するようにしてある。ディスプレイ２２に番組表を表示する場合には、制御部１が記憶部９からデータを読み出して番組表を作成し、映像出力部１３へ与えることにより番組表の表示を行うようにしてある。
【００４０】
また、車載テレビはユーザの操作を受け付ける操作部２５を備えている。操作部２５には、視聴する番組をユーザが選択するためのチャンネル設定ボタン２６及びディスプレイ２２に番組表を表示する番組表表示ボタン２７が設けられており、また、図示しないメニュー表示ボタン、カーソルキー、決定ボタン、キャンセルボタン、電源ボタン及び音量設定ボタン等が設けられている。操作部２５は、ユーザによる操作を受け付けた場合に、操作内容を制御部１へ知らせ、制御部１はこれに応じた処理を行うようにしてある。
【００４１】
図２及び図３は、本発明の実施の形態１に係る車載テレビの制御部１が行う受信処理の処理手順を示すフローチャートである。制御部１は、まず番組表示用のチューナとして２つのチューナ２ａ及び２ｂのうちのチューナ２ａを選択し、チューナ２ａにより受信された信号を分離部５へ与えるよう選択部４へ選択命令を与える（ステップＳ１）。次いで、チューナ２ａ及び２ｂが同じチャンネルを受信するように、ユーザが操作部２５のチャンネル設定ボタン２６により指定したチャンネルを選局する（ステップＳ２）。
【００４２】
次いで、例えば操作部２５の電源ボタンがユーザにより操作されるなどして、車載テレビの受信処理を終了する指示が与えられたか否かを調べる（ステップＳ３）。受信処理の終了指示が与えられた場合（Ｓ３：ＹＥＳ）、制御部１は受信処理を終了する。受信処理の終了指示が与えられていない場合（Ｓ３：ＮＯ）、制御部１内に備えられた図示しないタイマをリセットして計時を開始する（ステップＳ４）。計時開始後、誤り訂正部３ａ及び３ｂから与えられる誤りの有無の検出結果から、チューナ２ａ及び２ｂにて受信された信号の誤りの発生数（チューナ２ａでの誤り発生数をＭａとし、チューナ２ｂでの誤り発生数をＭｂとする）をカウントする（ステップＳ５）。タイマにより一定時間が経過したか否かを調べ（ステップＳ６）、一定時間が経過していない場合には（Ｓ６：ＮＯ）、ステップＳ５へ戻り、誤り発生数Ｍａ、Ｍｂのカウントを継続して行う。
【００４３】
誤り発生数Ｍａ、Ｍｂのカウントを一定時間行い、一定時間が経過した後（Ｓ６：ＹＥＳ）、チューナ２ａでの誤り発生数Ｍａとチューナ２ｂでの誤り発生数Ｍｂとを比較して、チューナ２ａでの誤り発生数Ｍａがチューナ２ｂでの誤り発生数Ｍｂ以上であるか否かを調べる（ステップＳ７）。チューナ２ａでの誤り発生数Ｍａがチューナ２ｂでの誤り発生数Ｍｂ以上である場合（Ｓ７：ＹＥＳ）、番組表示用のチューナとしてチューナ２ｂを選択し、チューナ２ｂにより受信された信号を分離部５へ与えるよう選択部４へ選択命令を与え（ステップＳ８）、チューナ２ａにより受信された信号を抽出部６へ与えるようにする（ステップＳ９）。これにより、チューナ２ｂにより受信される番組がディスプレイ２２及びスピーカ２１から出力される。
【００４４】
また、ステップＳ７にて、チューナ２ａでの誤り発生数Ｍａがチューナ２ｂでの誤り発生数Ｍｂ以上でない場合、即ちチューナ２ｂでの誤り発生数Ｍｂがチューナ２ａでの誤り発生数Ｍａより多い場合には（Ｓ７：ＮＯ）、番組表示用のチューナとしてチューナ２ａを選択し、チューナ２ａにより受信された信号を分離部５へ与えるよう選択部４へ選択命令を与え（ステップＳ１０）、チューナ２ｂにより受信された信号を抽出部６へ与えるようにする（ステップＳ１１）。これにより、チューナ２ａにより受信される番組がディスプレイ２２及びスピーカ２１から出力される。ステップＳ９又はＳ１１の処理を終了した後、ユーザにより操作部２５のチャンネル設定ボタン２６が操作されてチャンネル設定が変更されたか否かを調べる（ステップＳ１２）。チャンネル設定が変更された場合（Ｓ１２：ＹＥＳ）、ステップＳ２へ戻り、チューナ２ａ及び２ｂの受信チャンネルを変更されたチャンネルとなるように選局して、２つのチューナ２ａ及び２ｂの選択を繰り返し行う。
【００４５】
チャンネル設定が変更されていない場合（Ｓ１２：ＮＯ）、制御部１内に備えられたタイマをリセットして計時を開始し（ステップＳ１３）、受信した信号が抽出部６へ与えられるチューナ（ＥＰＧ取得用チューナ）のチャンネル設定を、ユーザが視聴のために設定したチャンネルとは別のＥＰＧ取得のためのチャンネルに変更する（ステップＳ１４）。次いで、抽出部６にてＥＰＧのデータを抽出し（ステップＳ１５）、抽出したＥＰＧのデータを記憶部９に記憶する（ステップＳ１６）。その後、制御部１内のタイマにより、一定時間が経過したか否かを調べ（ステップＳ１７）、一定時間が経過した場合には（Ｓ１７：ＹＥＳ）、ステップＳ２へ戻り、チューナ２ａ及び２ｂが受信するチャンネルをユーザが操作部２５のチャンネル設定ボタン２６により指定したチャンネルとなるように選局して、２つのチューナ２ａ及び２ｂの選択を行う。
【００４６】
一定時間が経過していない場合（Ｓ１７：ＮＯ）、ＥＰＧ取得用チューナに設定されている現在のチャンネルに関してＥＰＧの取得を終了したか否かを調べ（ステップＳ１８）、終了していない場合は（Ｓ１８：ＮＯ）、ステップＳ１５へ戻り、ＥＰＧの抽出を続行する。現在のチャンネルのＥＰＧの取得を終了した場合（Ｓ１８：ＹＥＳ）、全チャンネルについてＥＰＧの取得が終了したか否かを調べる（ステップＳ１９）。全てのチャンネルについてＥＰＧの取得が終了していない場合（Ｓ１９：ＮＯ）、ＥＰＧ取得用チューナの受信チャンネルの設定を、ＥＰＧ未取得の次のチャンネルに変更して（ステップＳ２０）、ステップＳ１５へ戻り、変更されたチャンネルのＥＰＧの抽出を行う。全てのチャンネルについてＥＰＧの取得が終了した場合（Ｓ１９：ＹＥＳ）、ステップＳ２へ戻り、チューナ２ａ及び２ｂが受信するチャンネルをユーザが操作部２５のチャンネル設定ボタン２６により指定したチャンネルとなるように選局して、２つのチューナ２ａ及び２ｂの選択を行う。以上のように、処理を繰り返し行い、ステップＳ３にてユーザからの受信処理終了の指示が与えらたと判定されるまで処理を続行する。
【００４７】
図４は、本発明に係る車載テレビの制御部１が行う番組表の表示処理の処理手順を示すフローチャートである。制御部１は、操作部２５の番組表表示ボタン２７が操作されて、番組表の表示指示が与えられたか否かを調べる（ステップＳ３１）。番組表の表示指示が与えられていない場合（Ｓ３１：ＮＯ）、番組表の表示指示が与えられるまで待機する。番組表の表示指示が与えられた場合（Ｓ３１：ＹＥＳ）、記憶部９に記憶されたＥＰＧのデータの読み出しを行い（ステップＳ３２）、読み出したデータから番組表を作成する（ステップＳ３３）。
【００４８】
図５は、本発明に係る車載テレビが表示する番組表の表示例である。本表示例においては、午後７時から午後８時までに放送される番組の一覧が表示されている。例えば、受信可能なチャンネルは１〜６の６つのチャンネルであり、ディスプレイ２２の上から下へ各チャンネルごとの番組タイトルが並べて表示される。ユーザは、操作部２５に備えられたカーソルキーを操作して、表示された番組タイトルの一つを囲むカーソル４０を動かすことができる。カーソルキーを上下に操作した場合には、カーソル４０が上下に動き、チャンネルの選択を変更することができ、カーソルキーを左右に操作した場合には、一覧表示する時間帯を変更することができる。また、カーソル４０により選択されている番組の簡単な説明文が画面の下側に表示され、この状態で操作部２５に備えられた決定ボタンを操作することにより番組表の表示は終了され、選択された番組がディスプレイ２２に表示されるようにしてある。
【００４９】
ステップＳ３３にて、図５に示すような番組表を作成した後、作成した番組表とこれを出力する出力命令とを映像出力部１３へ与えることで、ディスプレイ２２に番組表を出力する（ステップＳ３４）。番組表の出力後、ユーザが操作部２５の決定ボタン、キャンセルボタン又は他のメニュー表示ボタン等を操作し、番組表の表示を終了する指示が与えられたか否かを調べ（ステップＳ３５）、番組表の表示終了指示が与えられていない場合は（Ｓ３５：ＮＯ）、ステップＳ３４へ戻り、番組表の出力を継続して行う。
【００５０】
番組表の表示終了指示が与えられた場合は（Ｓ３５：ＹＥＳ）、番組表によりユーザがチャンネルの変更を行ったか否かを調べ（ステップＳ３６）、チャンネルの変更が行われた場合は（Ｓ３６：ＹＥＳ）、チューナ２ａ及び２ｂが受信するチャンネルの設定を変更し（ステップＳ３７）。チャンネルの設定変更後、及びチャンネルの変更が行われていない場合（Ｓ３６：ＮＯ）、映像出力部１３へ番組の出力命令を与えて、ディスプレイ２２に受信した番組の出力を行って（ステップＳ３８）、処理を終了する。
【００５１】
以上の構成の車載テレビにおいては、ダイバーシティ方式の受信を行うことにより地上波デジタル放送の番組を安定して受信することができ、また、２つのアンテナ２３ａ及び２３ｂによる受信状態が良好な場合には、いずれか一方を利用してＥＰＧの取得を行うことにより、番組表の表示を行う場合に高速に表示を行うことができる。また、受信状態が良好であるか否かをデジタル信号の誤り発生数から判定する構成とすることにより、簡単に且つ確実に受信状態の判定を行うことができる。
【００５２】
なお、本実施の形態においては、受信状態が良好であるか否かを判定する場合に、一定時間に発生した誤りの数から判定を行う構成としたが、これに限るものではなく、例えば一定数のパケットに発生した誤りの数から判定を行う構成としてもよく、一定量のデータに発生した誤りの数から判定を行う構成としてもよい。また、図５に示した番組情報の一覧表示は一例であり、これに限るものではない。また、車載テレビがアンテナ及びチューナを２つずつ備える構成としたが、これに限るものではなく、３つ以上のアンテナ及びチューナを備える構成であってもよい。
【００５３】
また、車載テレビが地上波デジタル放送を受信する構成を示したが、これに限るものではなく、その他の放送を受信する構成であってもよい。また、本実施の形態においては、受信装置として車載テレビを例に説明を行ったが、これに限るものではなく、例えば複数のアンテナを備えるラジオ装置であってもよく、テレビ放送又はラジオ放送が受信可能な携帯電話器であってもよく、また、複数のチューナを備えるハードディスクレコーダ又はＤＶＤレコーダ等であってもよい。なお、家庭用のハードディスクレコーダのように装置が移動しないものである場合、複数のチューナから視聴する番組の受信用のチューナとＥＰＧ取得用のチューナとを選択するときには、受信状態が良好であるか否かを選択の基準とするのではなく、例えば裏番組の録画を行っているか否か、又は録画予約が設定されているか否か等により選択を行ってもよい。
【００５４】
（実施の形態２）
図６は、本発明の実施の形態２に係る車載テレビの構成を示すブロック図である。実施の形態２に係る車載テレビの構成は、図１に示す実施の形態１に係る車載テレビの構成とほぼ同じ構成であるが、チューナ２ａ及び２ｂにて受信される信号の信号強度をそれぞれ検出する検出部５２ａ及び５２ｂを備える点が異なる。
【００５５】
検出部５２ａ及び５２ｂは、チューナ２ａ及び２ｂにて受信された信号の強度を検出し、検出結果を制御部５１へ与えるようにしてある。検出結果を与えられた制御部５１は、それぞれの検出結果と予め定められた閾値とを比較することにより、チューナ２ａ及び２ｂの受信状態が良好であるか否かを判定することができる。また、検出部５２ａ及び５２ｂから与えられる２つの検出結果を比較して、いずれのチューナがより受信状態が良好であるかを判定することができる。これらの判定結果に応じて、制御部５１は選択部４を制御するようにしてある。
【００５６】
図７及び図８は、本発明の実施の形態２に係る車載テレビの制御部５１が行う受信処理の処理手順を示すフローチャートである。制御部５１は、まず番組表示用のチューナとして２つのチューナ２ａ及び２ｂのうちのチューナ２ａを選択し、チューナ２ａにより受信された信号を分離部５へ与えるよう選択部４へ選択命令を与える（ステップＳ５１）。次いで、チューナ２ａ及び２ｂが同じチャンネルを受信するように、ユーザが操作部２５のチャンネル設定ボタン２６により指定したチャンネルを選局する（ステップＳ５２）。
【００５７】
次いで、例えば操作部２５の電源ボタンがユーザにより操作されるなどして、車載テレビの受信処理を終了する指示が与えられたか否かを調べる（ステップＳ５３）。受信処理の終了指示が与えられた場合（Ｓ５３：ＹＥＳ）、制御部５１は処理を終了する。受信処理の終了指示が与えられていない場合（Ｓ５３：ＮＯ）、検出部５２ａ及び５２ｂが検出した受信信号の信号強度Ｓａ及びＳｂを取得する（ステップＳ５４）。なお、信号強度Ｓａ及びＳｂは、一定時間内に受信した信号の平均信号強度であってもよい。
【００５８】
次いで、検出部５２ａによる信号強度Ｓａが検出部５２ｂによる信号強度Ｓｂ以上であるか否かを調べる（ステップＳ５５）。信号強度Ｓａが信号強度Ｓｂ以上である場合（Ｓ５５：ＹＥＳ）、番組表示用のチューナとしてチューナ２ａを選択し、チューナ２ａにより受信された信号を分離部５へ与えるよう選択部４へ選択命令を与え（ステップＳ５６）、チューナ２ｂにより受信された信号を抽出部６へ与えるようにする（ステップＳ５７）。これにより、チューナ２ａにより受信される番組がディスプレイ２２及びスピーカ２１から出力される。
【００５９】
また、ステップＳ５５にて、チューナ２ａによる信号強度Ｓａがチューナ２ｂによる信号強度Ｓｂ以上でない場合、即ちチューナ２ｂによる信号強度Ｓｂがチューナ２ａによる信号強度Ｓａより大きい場合には（Ｓ５５：ＮＯ）、番組表示用のチューナとしてチューナ２ｂを選択し、チューナ２ｂにより受信された信号を分離部５へ与えるよう選択部４へ選択命令を与え（ステップＳ５８）、チューナ２ａにより受信された信号を抽出部６へ与えるようにする（ステップＳ５９）。これにより、チューナ２ｂにより受信される番組がディスプレイ２２及びスピーカ２１から出力される。ステップＳ５７又はＳ５９の処理を終了した後、ユーザにより操作部２５のチャンネル設定ボタン２６が操作されてチャンネル設定が変更されたか否かを調べる（ステップＳ６０）。チャンネル設定が変更された場合（Ｓ６０：ＹＥＳ）、ステップＳ５２へ戻り、チューナ２ａ及び２ｂの受信チャンネルを変更されたチャンネルとなるように選局して、２つのチューナ２ａ及び２ｂの選択を繰り返し行う。
【００６０】
チャンネル設定が変更されていない場合（Ｓ６０：ＮＯ）、制御部５１内に備えられたタイマをリセットして計時を開始し（ステップＳ６１）、受信した信号が抽出部６へ与えられるチューナ（ＥＰＧ取得用チューナ）のチャンネル設定を、ユーザが視聴のために設定したチャンネルとは別のＥＰＧ取得のためのチャンネルに変更する（ステップＳ６２）。次いで、抽出部６にてＥＰＧのデータを抽出し（ステップＳ６３）、抽出したＥＰＧのデータを記憶部９に記憶する（ステップＳ６４）。その後、制御部５１内のタイマにより、一定時間が経過したか否かを調べ（ステップＳ６５）、一定時間が経過した場合には（Ｓ６５：ＹＥＳ）、ステップＳ５２へ戻り、チューナ２ａ及び２ｂが受信するチャンネルをユーザが操作部２５のチャンネル設定ボタン２６により指定したチャンネルとなるように選局して、２つのチューナ２ａ及び２ｂの選択を行う。
【００６１】
一定時間が経過していない場合（Ｓ６５：ＮＯ）、ＥＰＧ取得用チューナに設定されている現在のチャンネルに関してＥＰＧの取得を終了したか否かを調べ（ステップＳ６６）、終了していない場合は（Ｓ６６：ＮＯ）、ステップＳ６３へ戻り、ＥＰＧの抽出を続行する。現在のチャンネルのＥＰＧの取得を終了した場合（Ｓ６６：ＹＥＳ）、全チャンネルについてＥＰＧの取得が終了したか否かを調べる（ステップＳ６７）。全てのチャンネルについてＥＰＧの取得が終了していない場合（Ｓ６７：ＮＯ）、ＥＰＧ取得用チューナの受信チャンネルの設定を、ＥＰＧ未取得の次のチャンネルに変更して（ステップＳ６８）、ステップＳ６３へ戻り、変更されたチャンネルのＥＰＧの抽出を行う。全てのチャンネルについてＥＰＧの取得が終了した場合（Ｓ６７：ＹＥＳ）、ステップＳ５２へ戻り、チューナ２ａ及び２ｂが受信するチャンネルをユーザが操作部２５のチャンネル設定ボタン２６により指定したチャンネルとなるように選局して、２つのチューナ２ａ及び２ｂの選択を行う。以上のように、処理を繰り返し行い、ステップＳ５３にてユーザからの受信処理終了の指示が与えられたと判定されるまで処理を続行する。
【００６２】
以上の構成の車載テレビにおいては、チューナ２ａ、２ｂの受信状態が良好であるか否かを、検出部５２ａ、５２ｂにより受信した信号の信号強度を検出して判定する構成とすることにより、簡単に且つ確実に受信状態の判定を行うことができる。
【００６３】
なお、実施の形態２においては、チューナ２ａ、２ｂの受信状態が良好であるか否かを、検出部５２ａ、５２ｂによる検出結果のみで判定する構成を示したが、これに限るものではなく、例えば実施の形態１に示すようなデジタル信号の誤り発生数から判定する方法を併用する構成としてもよい。また、その他の方法を併用する構成としてもよい。
【００６４】
なお、実施の形態２に係る車載テレビのその他の構成は、実施の形態１に係る車載テレビの構成と同様であるため、対応する箇所には同じ符号を付して詳細な説明を省略する。
【図面の簡単な説明】
【００６５】
【図１】本発明の実施の形態１に係る車載テレビの構成を示すブロック図である。
【図２】本発明の実施の形態１に係る車載テレビの制御部が行う受信処理の処理手順を示すフローチャートである。
【図３】本発明の実施の形態１に係る車載テレビの制御部が行う受信処理の処理手順を示すフローチャートである。
【図４】本発明に係る車載テレビの制御部が行う番組表の表示処理の処理手順を示すフローチャートである。
【図５】本発明に係る車載テレビが表示する番組表の表示例である。
【図６】本発明の実施の形態２に係る車載テレビの構成を示すブロック図である。
【図７】本発明の実施の形態２に係る車載テレビの制御部が行う受信処理の処理手順を示すフローチャートである。
【図８】本発明の実施の形態２に係る車載テレビの制御部が行う受信処理の処理手順を示すフローチャートである。
【符号の説明】
【００６６】
１  制御部
２ａ、２ｂ  チューナ（受信手段）
３ａ、３ｂ  誤り訂正部
４  選択部（選択手段）
５  分離部
６  抽出部（番組情報抽出手段）
７  音声デコーダ
８  映像デコーダ
９  記憶部（記憶手段）
１０  Ｄ／Ａ変換部
１１  Ｄ／Ａ変換部
１２  音声出力部（出力処理手段）
１３  映像出力部（出力処理手段）
２１  スピーカ
２２  ディスプレイ
２３ａ、２３ｂ  アンテナ
２５  操作部
２６  チャンネル設定ボタン（チャンネル設定受付手段）
２７  番組表表示ボタン
５１  制御部
５２ａ、５２ｂ  検出部
【図１】
2007142887.tif 000003
【図２】
2007142887.tif 000004
【図３】
2007142887.tif 000005
【図４】
2007142887.tif 000006
【図５】
2007142887.tif 000007
【図６】
2007142887.tif 000008
【図７】
2007142887.tif 000009
【図８】
2007142887.tif 000010